(57)【要約】【課題】本発明は、パウチ外装材、およびこれを用いた二次電池と二次電池パックに関する。【解決手段】本発明に係るパウチ外装材は、電極組立体を収納するために形成される第１および第２収納部と、前記第１および第２収納部を囲むように前記パウチ外装材の外側に沿って形成されるシール部と、前記第１および第２収納部と同じ深さで形成され、所定の間隔で前記第１および第２収納部を連結する連結部とを含み、前記連結部の両端には、前記シール部の方向に突出した突出部が形成されていることを特徴とする。  これにより、本発明に係るパウチ外装材、およびこれを用いた二次電池と二次電池パックは、二次電池の一側面が完璧な冷却構造を有するようにすることで、二次電池の一側面が冷却プレートに密着して冷却効率を極大化する効果がある。【選択図】図２
2019186199.tif 000002
【特許請求の範囲】
【請求項１】
セパレータを挟んで積層された多数の電極体を含む電極組立体を収納しパッケージングするパウチ外装材であって、
前記電極組立体を収納するために形成される第１および第２収納部と、
前記第１および第２収納部を囲むように前記パウチ外装材の外側に沿って形成されるシール部と、
前記第１および第２収納部と同じ深さで形成され、所定の間隔で前記第１および第２収納部を連結する連結部とを含み、
前記連結部の両端には、前記シール部の方向に突出した突出部が形成されていることを特徴とする、パウチ外装材。
【請求項２】
前記突出部は、
前記連結部の底面から所定の高さに形成されたトップ部と、
前記トップ部の一端から前記連結部の底面に傾斜して形成された傾斜部とを含むことを特徴とする、請求項１に記載のパウチ外装材。
【請求項３】
前記傾斜部は、前記トップ部および前記連結部の底面と所定の曲率半径で連結されることを特徴とする、請求項２に記載のパウチ外装材。
【請求項４】
前記トップ部は、前記シール部と同じ高さで形成されることを特徴とする、請求項２に記載のパウチ外装材。
【請求項５】
前記第１収納部と前記連結部の一側は第１折り曲げ線に沿って連結され、前記第２収納部と前記連結部の他側は第２折り曲げ線に沿って連結され、
前記パウチ外装材は、前記第１および第２折り曲げ線に沿って折り曲げられ前記電極組立体を収納することを特徴とする、請求項１に記載のパウチ外装材。
【請求項６】
前記第１および第２折り曲げ線は、前記電極組立体の厚さに対応する距離だけ離隔していることを特徴とする、請求項５に記載のパウチ外装材。
【請求項７】
請求項１から６のいずれか１項に記載のパウチ外装材と、
セパレータを挟んで積層された多数の電極体を含む電極組立体とを含み、
前記パウチ外装材は、前記第１および第２収納部が対向するように前記シール部が折り曲げられて形成された収納空間に前記電極組立体を収納してパッケージングされることを特徴とする、二次電池。
【請求項８】
前記連結部は、パッケージングされた前記二次電池の側面を均一に形成し、
前記シール部は、前記二次電池の側面の両端部と隣接する部分に前記二次電池の側面に対して垂直な方向に所定の長さだけ突出した延長部を含むことを特徴とする、請求項７に記載の二次電池。
【請求項９】
請求項７に記載の一つ以上の二次電池と、
第１側面および前記第１側面に対向する第２側面と、前記一つ以上の二次電池の側面が面接触する上面とを備えた冷却プレートとを含むことを特徴とする、二次電池パック。
【請求項１０】
前記二次電池の連結部は、パッケージングされた前記二次電池の側面を均一に形成し、
前記二次電池のシール部は、前記二次電池の側面の両端部と隣接する部分に前記二次電池の側面に対して垂直な方向に所定の長さだけ突出した延長部を含むことを特徴とする、請求項９に記載の二次電池パック。
【請求項１１】
前記冷却プレートの第１側面と第２側面との幅は、前記二次電池の連結部の長さに対応することを特徴とする、請求項１０に記載の二次電池パック。
【請求項１２】
前記冷却プレートの第１側面と第２側面との幅は、前記二次電池の連結部の長さより大きいことを特徴とする、請求項１０に記載の二次電池パック。
【請求項１３】
前記冷却プレートの第１側面および第２側面それぞれには、前記二次電池の延長部の前記所定の長さより大きいか同じ高さで段差が形成されていることを特徴とする、請求項１２に記載の二次電池パック。
【請求項１４】
前記冷却プレートの第１側面および第２側面それぞれには、前記二次電池の延長部を収容するように前記延長部の所定の長さより深いか同じ深さで一つ以上の溝が形成されていることを特徴とする、請求項１２に記載の二次電池パック。
【発明の詳細な説明】
【技術分野】
【０００１】
本発明は、パウチ外装材、およびこれを用いた二次電池と二次電池パックに関し、より詳細には、パウチ外装材を用いた二次電池の一側面が完璧な冷却構造を有するようにすることで、二次電池の一側面が冷却プレートに密着して冷却効率を極大化するだけでなく、エネルギー密度を高めることができるパウチ外装材、およびこれを用いた二次電池と二次電池パックに関する。
【背景技術】
【０００２】
一般的に、リチウム二次電池は、外装材の形状に応じて、電極組立体が金属缶に組み込まれている缶型二次電池と、電極組立体がアルミニウムラミネートシートのパウチに組み込まれているパウチ型二次電池とに分けられる。
【０００３】
リチウム二次電池は、小型モバイル装置だけでなく、自動車や電力貯蔵装置のような中大型装置にも広く用いられている。かかる場合には、容量および出力を高めるために、積層が容易で、軽い重量のパウチ型二次電池が多数個連結されて使用される。
【０００４】
しかし、多数のパウチ型二次電池を積層してバッテリーモジュールを構成するときには、多数の二次電池から放出される熱が累積されてバッテリーモジュールの温度が短時間で上昇し得るため、多数のパウチ型二次電池を用いてバッテリーモジュールを構成する場合には、安定的且つ効果的な冷却性能を確保することが非常に重要である。
【０００５】
したがって、最近、効率的な冷却性能が確保され、且つ簡単な構造の冷却方法として、パウチ型二次電池の側面部を冷却プレートに直接表面接触触して冷却する方法が研究されているが、今のところはパウチ外装材の形状に限界があり、パウチ型二次電池の側面部を冷却プレートに効果的に密着させることが困難であった。
【０００６】
図１は従来技術に係るパウチ型二次電池の分解斜視図である。
【０００７】
図１を参照すると、電極組立体２０を収納するために収納空間を提供するように構成された、従来技術のパウチ外装材１０は、一対の収納部が互いに独立した空間として形成され、一対の収納部それぞれは、収納される電極組立体２０の幅と長さに対応する幅と長さを有し、一対の収納部それぞれの深さの和の略電極組立体２０の厚さに対応する。
【０００８】
しかし、従来技術に係るパウチ型二次電池は、パウチ外装材１０がシールされた三つの側面以外の一側面部には、側面の長さ方向に凹状のラインが形成され得る。このように、二次電池の側面部に形成された凹状のラインは、二次電池の側面部を冷却プレートに効果的に接触させにくくし、冷却効率を低下させるという問題がある。
【０００９】
前記の問題点を解決するために、特許文献１には、パウチ外装材に一対の収納部を独立した空間として分離せずに一つの空間として形成したが、かかる形状のパウチ外装材を用いても電極組立体をパッケージングするときに外装材の折り畳みが容易でなく、冷却プレートと接触する二次電池の側面部を均一に形成することが困難である。
【先行技術文献】
【特許文献】
【００１０】
【特許文献１】韓国公開特許公報第１０−２００７−０１０２７６８号
【発明の概要】
【発明が解決しようとする課題】
【００１１】
したがって、本発明は、従来技術の問題点を解決するために導き出されたものであり、パウチ外装材を用いた二次電池の一側面が均一に形成されて完璧な冷却構造を有するようにすることで、二次電池の一側面が冷却プレートに密着して冷却効率を極大化するパウチ外装材、およびこれを用いた二次電池と二次電池パックを提供することを目的とする。
【００１２】
また、二次電池の側面部を突出することなく平坦に形成することで、同じ電池容量に対してより小さい空間を占めるようにして高いエネルギー密度を有することができるパウチ外装材、およびこれを用いた二次電池と二次電池パックを提供することを他の目的とする。
【００１３】
本発明が解決しようとする技術的な課題は、以上で言及した技術的課題に制限されず、言及していない他の技術的課題は、本発明が属する技術分野において通常の知識を有する者であれば、以下の記載より明確に理解することができる。
【課題を解決するための手段】
【００１４】
前記のような目的を達成するために、本発明に係るパウチ外装材は、セパレータを挟んで積層された多数の電極体を含む電極組立体を収納しパッケージングするパウチ外装材であって、前記電極組立体を収納するために形成される第１および第２収納部と、前記第１および第２収納部を囲むように前記パウチ外装材の外側に沿って形成されるシール部と、前記第１および第２収納部と同じ深さで形成され、所定の間隔で前記第１および第２収納部を連結する連結部とを含み、前記連結部の両端には、前記シール部の方向に突出した突出部が形成されていることを特徴とする。
【００１５】
本発明に係るパウチ外装材は、前記突出部は、前記連結部の底面から所定の高さに形成されたトップ部と、前記トップ部の一端から前記連結部の底面に傾斜して形成された傾斜部とを含むことが好ましい。
【００１６】
本発明に係るパウチ外装材は、前記傾斜部は、前記トップ部および前記連結部の底面と所定の曲率半径で連結されることが好ましい。
【００１７】
本発明に係るパウチ外装材は、前記トップ部は、前記シール部と同じ高さで形成されることが好ましい。
【００１８】
発明に係るパウチ外装材は、前記第１収納部と前記連結部の一側は第１折り曲げ線に沿って連結され、前記第２収納部と前記連結部の他側は第２折り曲げ線に沿って連結され、前記パウチ外装材は、前記第１および第２折り曲げ線に沿って折り曲げられ前記電極組立体を収納することが好ましい。
【００１９】
本発明に係るパウチ外装材は、前記第１および第２折り曲げ線は、前記電極組立体の厚さに対応する距離だけ離隔していることが好ましい。
【００２０】
前記のような目的を達成するために、本発明に係る二次電池は、上述のパウチ外装材と、セパレータを挟んで積層された多数の電極体を含む電極組立体とを含み、前記パウチ外装材は、前記第１および第２収納部が対向するように前記シール部が折り曲げられて形成された収納空間に前記電極組立体を収納してパッケージングされることを特徴とする。
【００２１】
本発明に係る二次電池は、前記連結部は、パッケージングされた前記二次電池の側面を均一に形成し、前記シール部は、前記二次電池の側面の両端部と隣接する部分に前記二次電池の側面に対して垂直な方向に所定の長さだけ突出した延長部を含むことが好ましい。
【００２２】
前記のような目的を達成するために、本発明に係る二次電池パックは、上述の一つ以上の二次電池と、第１側面および前記第１側面に対向する第２側面と、前記一つ以上の二次電池の側面が面接触する上面とを備えた冷却プレートとを含むことを特徴とする。
【００２３】
本発明に係る二次電池パックは、前記二次電池の連結部は、パッケージングされた前記二次電池の側面を均一に形成し、前記二次電池のシール部は、前記二次電池の側面の両端部と隣接する部分に前記二次電池の側面に対して垂直な方向に所定の長さだけ突出した延長部を含むことが好ましい。
【００２４】
本発明に係る二次電池パックは、前記冷却プレートの第１側面と第２側面との幅は、前記二次電池の連結部の長さに対応することが好ましい。
【００２５】
本発明に係る二次電池パックは、前記冷却プレートの第１側面と第２側面との幅は、前記二次電池の連結部の長さより大きいことが好ましい。
【００２６】
本発明に係る二次電池パックは、前記冷却プレートの第１側面および第２側面それぞれには、前記二次電池の延長部の前記所定の長さより大きいか同じ高さで段差が形成されていることが好ましい。
【００２７】
本発明に係る二次電池パックは、前記冷却プレートの第１側面および第２側面それぞれには、前記二次電池の延長部を収容するように前記延長部の所定の長さより深いか同じ深さで一つ以上の溝が形成されていることが好ましい。
【発明の効果】
【００２８】
本発明に係るパウチ外装材、およびこれを用いた二次電池と二次電池パックは、二次電池の一側面が均一に形成されて完璧な冷却構造を有するようにすることで、二次電池の一側面が冷却プレートに密着して冷却効率を極大化する効果がある。
【００２９】
また、本発明に係るパウチ外装材、およびこれを用いた二次電池と二次電池パックは、二次電池の側面部を突出することなく平坦に形成することで、同じ電池容量に対してより小さい空間を占めるようにして、高いエネルギー密度を有するようにする効果がある。
【図面の簡単な説明】
【００３０】
【図１】従来技術に係る二次電池の分解斜視図である。
【図２】本発明に係る二次電池の分解斜視図である。
【図３】本発明に係るパウチ外装材の平面図である。
【図４】図３のＡ−Ａ´線による断面図である。
【図５】図３のＢ−Ｂ´線による断面図である。
【図６】本発明に係る二次電池を図示した斜視図である。
【図７】本発明に係る二次電池と冷却プレートが結合し、二次電池パックを構成する第１例示図である。
【図８】（ａ）および（ｂ）は、図７を拡大した詳細図である。
【図９】本発明に係る二次電池と冷却プレートが結合し、二次電池パックを構成する第２例示図である。
【図１０】（ａ）および（ｂ）は、図９を拡大した詳細図である。
【図１１】本発明に係る二次電池と冷却プレートが結合し、二次電池パックを構成する第３例示図である。
【図１２】（ａ）および（ｂ）は、図１１を拡大した詳細図である。
【発明を実施するための形態】
【００３１】
本発明の好ましい実施形態を添付の図面により詳細に説明すると、以下のとおりである。以下の詳細な説明は、例示的なものに過ぎず、本発明の好ましい実施形態を図示したものに過ぎない。
【００３２】
図２は本発明に係る二次電池３００の分解斜視図である。
【００３３】
図２を参照すると、本発明に係る二次電池３００は、パウチ外装材１００およびセパレータを挟んで積層された多数の電極体を含む電極組立体２００を含んで構成され得る。ここで、パウチ外装材１００は、電極組立体２００を収納して囲み、互いに当接するシール部１５０がシールされてパッケージングされる。
【００３４】
電極組立体２００の両端には、第１および第２電極タブ２２０、２３０が形成され得、図２には電極タブが電極組立体２００の両側面に形成されているが、本発明の二次電池３００は、電極タブの構成をこれに限定せず、シール部１５０のいずれか一側面に第１および第２電極タブ２２０、２３０をともに配置することも可能である。
【００３５】
図２を参照すると、本発明に係るパウチ外装材１００は、電極組立体２００を収納するために形成される第１および第２収納部１１０、１２０と、第１および第２収納部１１０、１２０を囲むようにパウチ外装材１００の外側に沿って形成されるシール部１５０と、第１および第２収納部１１０、１２０と同じ深さで形成され、所定の間隔ｄで第１および第２収納部１１０、１２０を連結する連結部１４０とを含んで構成され得、連結部１４０の両端には、シール部１５０の方向に突出した突出部１３０が形成されていることを特徴とする。
【００３６】
パウチ外装材１００内には、電極組立体２００を収納するための一対の第１および第２収納部１１０、１２０が形成され得る。第１および第２収納部１１０、１２０は、パウチ外装材１００内に凹状に窪んだ形状にパウチ外装材１００の内部をプレスするなどの方式で押圧して形成され得る。ここで、第１および第２収納部１１０、１２０それぞれは、電極組立体２００の幅および長さに対応する大きさを有しており、第１および第２収納部１１０、１２０それぞれの深さの和は、電極組立体２００の厚さｔに対応するように形成され得る。
【００３７】
連結部１４０は、第１および第２収納部１１０、１２０と同じ深さで形成され、所定の間隔ｄで第１および第２収納部１１０、１２０を離隔して連結する構成要素であり、第１および第２収納部１１０、１２０の底面を延長して互いに連結する。ここで第１収納部と連結部１４０の一側は、第１折り曲げ線に沿って連結され、第２収納部と連結部１４０の他側は、第２折り曲げ線に沿って連結される。本発明のパウチ外装材１００を用いて二次電池３００を構成するときに、パウチ外装材１００は、第１および第２折り曲げ線１０１、１０２に沿って折り曲げられて電極組立体２００を収納することができる。
【００３８】
したがって、連結部１４０は、二次電池３００が組み立てられた後に二次電池３００の側面部３１０を構成することができるため、第１および第２折り曲げ線１０１、１０２は、電極組立体２００の厚さｔに対応する距離だけ所定の間隔ｄで離隔するように連結部１４０の幅を決定することができる。連結部１４０の幅は、第１および第２折り曲げ線１０１、１０２が離隔した所定の間隔ｄであり、所定の間隔ｄは、上述のように、電極組立体２００の厚さｔと実質的に同様に設定することが好ましいが、連結部１４０の幅をこれに限定するのではなく、必要に応じて、電極組立体２００の厚さより小さくまたはより大きく形成することも可能である。
【００３９】
連結部１４０の両端には、シール部１５０の方向に突出した突出部１３０が形成され得る。
【００４０】
突出部１３０は、パウチ外装材１００が電極組立体２００を収納する収納空間を形成するように、第１および第２収納部１１０、１２０を対向するようにシール部１５０を折り曲げる時に、二次電池３００の側面部３１０の両端が歪まず容易に折り曲げられるようにするための構成要素であって、連結部１４０の底面から所定の高さに形成されたトップ部１３１と、トップ部１３１の一端から連結部１４０の底面に傾斜して形成された傾斜部１３２とを含んで構成することができる。
【００４１】
突出部１３０の詳細な形状は、図３〜図５を参照して把握することができる。
【００４２】
図３は本発明に係るパウチ外装材１００の平面図であり、図４は図３のＡ−Ａ´線による断面図であり、図５は図３のＢ−Ｂ´線による断面図である。
【００４３】
図４を参照すると、突出部１３０は、シール部１５０と同じ高さで延びるトップ部１３１と、トップ部１３１の一端から連結部１４０の底面に傾斜して形成された傾斜部１３２とを含んで形成され得る。また、図４に図示されているように、傾斜部１３２は、トップ部１３１および連結部１４０の底面と連結される時に、所定の曲率半径を有するように緩く連結されることが好ましい。このように、突出部１３０がシール部１５０および連結部１４０と不連続的な勾配を持たず緩く連結されるように形成することで、パウチ外装材１００が折り曲げられるときに、二次電池３００の側面部３１０に位置した突出部１３０が破損したり破れることを防止する効果を得ることができる。
【００４４】
図５を参照すると、突出部１３０は、第１および第２収納部１１０、１２０を離隔して連結する連結部１４０に形成され、突出部１３０の幅は、第１および第２収納部１１０、１２０が離隔した所定の間隔ｄより小さく形成することが好ましい。
【００４５】
ここで、突出部１３０のトップ部１３１がシール部１５０と同じ高さで延び、突出部１３０の幅は、所定の間隔ｄより小さく形成する場合を例として説明しているが、トップ部１３１の高さと突出部１３０の幅をこれに限定するのではなく、電極組立体２００の厚さｔおよび形状に応じて、またはパウチ外装材１００の材質に応じて、突出部１３０の高さまたは幅などを調節することは可能である。
【００４６】
図６は本発明に係る二次電池３００を図示した斜視図である。
【００４７】
本発明に係るパウチ外装材１００を用いた二次電池３００は、本発明のパウチ外装材１００と、電極組立体２００とを含んで構成することができ、パウチ外装材１００は、第１および第２収納部１１０、１２０が対向するようにシール部１５０が折り曲げられて形成された収納空間に電極組立体２００を収納した後、シール部１５０に沿ってシールされる。
【００４８】
図６を参照すると、パウチ外装材１００の連結部１４０は、二次電池３００の側面部３１０を均一に形成し、二次電池３００の側面部３１０の両端には、突出部１３０が対応する位置に二次電池３００の内部に窪んだディンプル３２０が形成され得る。
【００４９】
ディンプル３２０は、パウチ外装材１００を折り畳む時に側面部３１０の両先端側のシール部１５０が容易に折り曲げられるようにガイドする機能をし、その大きさおよび形状は、電極組立体２００の厚さｔおよび形状に応じてまたはパウチ外装材１００の材質に応じて適宜調節された突出部１３０の高さまたは幅などに応じて様々な形態を有することができる。
【００５０】
図６に図示されているように、本発明に係るパウチ外装材１００を用いた二次電池３００は、側面部３１０が全体的に凹状に窪むか突出することなく平坦で均一な形態を有することを特徴とする。
【００５１】
これにより、本発明に係る二次電池３００は、側面部３１０を冷却プレート５００に接触して冷却させる時に完全な密着が可能となり、低い熱抵抗で高い放熱効率を有することができる。
【００５２】
本発明に係るパウチ外装材１００を用いた二次電池３００は、側面部３１０が全体的に凹状に窪むか突出することなく平坦な形態を有することを特徴とすることから、本発明に係る二次電池３００は、側面部３１０を冷却プレート５００に接触して冷却させる時に完全な密着が可能となり、低い熱抵抗で高い放熱効率を有することができる。
【００５３】
これに加え、本発明に係る二次電池３００は、側面部３１０が突出することなく均一に形成されることから、側面部３１０に、外方に折り曲げが形成されるか、別のシール部位を有することで突出する場合よりも、同じ電池容量に対してより小さな空間を占めるため、本発明の二次電池３００は、高いエネルギー密度を有することができるという利点がある。
【００５４】
また、二次電池３００の側面部３１０の両端部と隣接する部分に位置したシール部１５０は、パッケージングのために折り曲げられる過程で二次電池３００の側面部３１０に対して垂直な方向に所定の長さだけ突出した延長部１５１を含むことができる。これにより、延長部１５１の突出する長さだけ延長部１５１と側面部３１０との間には空間が形成され得る。ここで、延長部１５１の長さは、数ｍｍであってもよい。
【００５５】
上記のように形成された延長部１５１は、本発明の二次電池３００と冷却プレート５００を結合して二次電池パックを製造する時に、冷却プレート５００の側面に延長部１５１を収容できる溝５２０または段差５１０を形成することで、冷却プレート５００に対して二次電池３００の配置を維持または固定する機能を果たすことができる。
【００５６】
図７〜図１２は本発明に係る二次電池３００と冷却プレート５００が結合し、二次電池パックを構成することができる第１〜第３例示に関する図である。
【００５７】
図７および図８は本発明に係る二次電池パックの第１例示図およびこれを拡大した詳細図である。
【００５８】
図７を参照すると、本発明に係る二次電池３００は、冷却プレート５００上に複数個が配置されて二次電池パックを構成することができる。ここで、冷却プレート５００は、第１側面および第１側面に対向する第２側面と、一つ以上の二次電池３００の側面部３１０が面接触する上面とを備える。
【００５９】
図７に図示されている二次電池パックの第１例示によると、冷却プレート５００の第１側面と第２側面との幅は、前記二次電池３００の連結部１４０の長さに対応することができる。図８（ａ）および図８（ｂ）を参照すると、この場合、冷却プレート５００は、上面が二次電池３００の側面部３１０と密着する時に、二次電池３００の延長部１５１の間に挟まれる形態になり得る。
【００６０】
かかる構造により、二次電池３００は、二次電池３００の長さ方向に対して移動が制限され、冷却プレート５００からその位置が離脱することを防止し、二次電池３００と冷却プレート５００との配置を維持できるという効果がある。
【００６１】
図９および図１０は本発明に係る二次電池パックの第２例示図およびこれを拡大した詳細図である。
【００６２】
図９に図示されている二次電池パックの第２例示によると、冷却プレート５００の第１側面と第２側面との幅は、二次電池３００の連結部１４０の長さより大きく形成され得、冷却プレート５００の第１側面および第２側面それぞれには、二次電池３００の延長部１５１の突出した所定の長さより大きいか同じ高さで段差５１０が形成され得る。図１０（ａ）および図１０（ｂ）を参照すると、冷却プレート５００は、上面が二次電池３００の側面部３１０と密着する時に、二次電池３００の延長部１５１は、冷却プレート５００に形成された段差部に載置される形態になり得る。
【００６３】
かかる構造により、二次電池３００は、二次電池３００の長さ方向に対して移動が制限され、冷却プレート５００からその位置が離脱することを防止し、二次電池３００と冷却プレート５００との配置を維持できるという効果がある。これに加え、第２例示による二次電池パックは、冷却プレート５００の幅が、第１例示による冷却プレート５００の幅よりもさらに延びて、冷却効率がより増大するという効果がある。
【００６４】
図１１および図１２は本発明に係る二次電池パックの第３例示図およびこれを拡大した詳細図である。
【００６５】
図１１に図示されている二次電池パックの第３例示によると、冷却プレート５００の第１側面と第２側面との幅は、二次電池３００の連結部１４０の長さより大きく形成され得、冷却プレート５００の第１側面および第２側面それぞれには、二次電池３００の延長部１５１を収容するように延長部１５１の所定の長さより深いか同じ深さで一つ以上の溝５２０が形成され得る。図１２（ａ）および図１２（ｂ）を参照すると、冷却プレート５００は、上面が二次電池３００の側面部３１０と密着する時に、二次電池３００の延長部１５１は、冷却プレート５００に形成された溝５２０に収容される形態になり得る。
【００６６】
かかる構造により、二次電池３００は、二次電池３００の長さ方向だけでなく、これに対して垂直な方向にも移動が制限されて、冷却プレート５００からその位置が離脱することを防止し、二次電池３００と冷却プレート５００との配置を維持できるという効果がある。これに加え、第３例示による二次電池パックは、冷却プレート５００の幅が、第１例示による冷却プレート５００の幅よりもさらに延びて、冷却効率がより増大するという効果がある。
【００６７】
図７〜図１２に図示されている事項をまとめると、本発明に係る二次電池パックは、冷却プレート５００に配置された複数個の二次電池３００それぞれは、その側面部３１０が冷却プレート５００に密着するように配置することで、二次電池３００の放熱を行うことができ、二次電池３００の側面部３１０に対して所定長さだけ突出した延長部１５１により、二次電池３００は、冷却プレート５００に対して二次電池３００の長さ方向への移動が制限されて、冷却プレート５００からその位置が離脱することを防止し、二次電池３００と冷却プレート５００との配置を維持できるという効果がある。
【００６８】
以上、本発明の原理を例示するための好ましい実施形態に基づいて本発明を説明および図示しているが、本発明は、そのように図示され、説明されたとおりの構成および作用に限定されるものではない。本発明が属する技術分野において通常の技術者であれば、本発明の技術的思想や必須特徴を変更することなく本発明が他の具体的な形態に実施され得るということを理解することができる。そのため、以上で記述した実施形態は、すべての面において例示的なものであって限定的なものではないと理解すべきである。本発明の範囲は、後述する特許請求の範囲により開示され、特許請求の範囲の意味および範囲、またその均等の概念から導き出されるすべての変更または変形された形態が本発明の範囲に含まれると解釈すべきである。
【符号の説明】
【００６９】
１０、１００  パウチ外装材
２０、２００  電極組立体
１０１  第１折り曲げ線
１０２  第２折り曲げ線
１１０、１２０  第１および第２収納部
１３０  突出部
１３１  トップ部
１３２  傾斜部
１４０  連結部
１５０  シール部
１５１  延長部
２２０、２３０  第１および第２電極タブ
３００  二次電池
３１０  側面部
３２０  ディンプル
５００  冷却プレート
５１０  段差
５２０  溝
【図１】
2019186199.tif 000003
【図２】
2019186199.tif 000004
【図３】
2019186199.tif 000005
【図４】
2019186199.tif 000006
【図５】
2019186199.tif 000007
【図６】
2019186199.tif 000008
【図７】
2019186199.tif 000009
【図８】
2019186199.tif 000010
【図９】
2019186199.tif 000011
【図１０】
2019186199.tif 000012
【図１１】
2019186199.tif 000013
【図１２】
2019186199.tif 000014